(57)【要約】【課題】内容物の詰め替え作業を容易にすることを目的とする。【解決手段】容器２と、容器２の口部２０に着脱可能に螺着された注出キャップ３と、注出キャップ３に着脱可能に螺着されたオーバーキャップ４と、を備えるキャップ付容器１であって、口部２０に対するキャップ周方向への移動が規制されてキャップ径方向に弾性的に変位可能な弾性変位部５０と、注出キャップ３の周壁部３１に設けられた第一係合部５１と、弾性変位部５０に設けられた第二係合部５２と、を有し、第一係合部５１と第二係合部５２とが係合されることでキャップ周方向の緩み側への注出キャップ３と口部２０との相対的な回転移動を規制する規制手段５が備えられ、規制手段５は、弾性変位部５０がキャップ径方向に変位することで、第一係合部５１と第二係合部５２との係合が解除され、注出キャップ３と口部２０との緩み側への相対的な回転移動を許容する。【選択図】図１
2010036920.tif 000002
【特許請求の範囲】
【請求項１】
内容物を収容する容器と、該容器の口部に着脱可能に螺着され、前記内容物を注出する注出口を有する注出キャップと、該注出キャップに着脱可能に螺着され、前記注出口を覆うオーバーキャップと、を備えるキャップ付容器であって、
前記口部に対するキャップ周方向への移動が規制されているとともに前記口部に対してキャップ径方向に弾性的に変位可能な弾性変位部と、前記注出キャップの周壁部に設けられた第一係合部と、前記弾性変位部に設けられた第二係合部と、を有し、前記第一係合部と前記第二係合部とが係合されることで、前記注出キャップを前記口部から緩めるキャップ周方向の緩み側への前記注出キャップと前記口部との相対的な回転移動を規制する規制手段が備えられ、
該規制手段は、前記弾性変位部がキャップ径方向に変位することで、前記第一係合部と前記第二係合部との係合が解除され、前記注出キャップと前記口部との前記緩み側への相対的な回転移動を許容することを特徴とするキャップ付容器。
【請求項２】
請求項１に記載のキャップ付容器において、
前記第一係合部と前記第二係合部とは、前記口部に対して前記注出キャップが緩んだ状態において、前記注出キャップを前記口部に締め付けるキャップ周方向の締付側への前記注出キャップと前記口部との相対的な回転移動を許容することを特徴とするキャップ付容器。
【請求項３】
請求項２に記載のキャップ付容器において、
前記第一係合部及び前記第二係合部のうちの少なくとも一方が、前記第一係合部と前記第二係合部との前記緩み側への相対移動を規制するとともに前記締付側への相対移動を許容する鋸刃状の爪部により構成されていることを特徴とするキャップ付容器。
【請求項４】
請求項１から３のいずれか記載のキャップ付容器において、
前記弾性変位部及び前記容器のうちの何れか一方には、前記口部に対して前記注出キャップが締め付けられた状態において前記注出キャップに係止され、前記注出キャップを前記口部に締め付けるキャップ周方向の締付側への前記注出キャップと前記口部との相対的な回転移動を規制する締付規制部が設けられていることを特徴とするキャップ付容器。
【発明の詳細な説明】
【技術分野】
【０００１】
本発明は、キャップ付容器に関する。
【背景技術】
【０００２】
この種のキャップ付容器として、従来、例えば下記特許文献１に記載されているように、内容物を収容する容器と、その容器の口部に着脱可能に装着されて容器内の内容物を注出する注出口を有する注出キャップと、その注出キャップに着脱可能に装着されて前記注出口を覆うオーバーキャップと、を備える構成が知られている。このような構成のキャップ付容器では、オーバーキャップを注出キャップから取り外した後に容器を傾けることで、内容物を注出口から吐出させることができる。
【０００３】
ところで、下記特許文献１に記載されたキャップ付容器では、オーバーキャップが注出キャップに螺着され、注出キャップが口部にアンダーカット嵌合されているが、従来、オーバーキャップを注出キャップに螺着させるとともに注出キャップを口部に螺着させた構成のものが提案されている。このようなキャップ付容器では、容器口部に注出キャップを装着する作業と、注出キャップにオーバーキャップを装着する作業と、が同じ螺着作業となるので、螺着とアンダーカット嵌合の両方を行う場合に比べて組立作業が容易となる。
【０００４】
しかしながら、上記したキャップ付容器では、オーバーキャップを着脱する際に、口部に螺着された注出キャップが共回りして緩むおそれがある。すなわち、オーバーキャップと注出キャップとを螺着する螺着部と、注出キャップと口部とを螺着する螺着部と、が同方向のネジである場合、注出キャップに螺着されたオーバーキャップを回して緩めると、口部に螺着された注出キャップが共回りして緩む場合がある。一方、オーバーキャップと注出キャップとを螺着する螺着部と、注出キャップと口部とを螺着する螺着部と、が逆ネジになっている場合、オーバーキャップを回して注出キャップに締め付ける際、口部に螺着された注出キャップが共回りして緩む場合がある。
【０００５】
そこで、上記したキャップ付容器に、口部と注出キャップとのキャップ周方向の緩み側への相対回転を規制する規制手段を設ける方法が考えられる。この規制手段としては、例えば、注出キャップの周壁部の内周面に設けられた第一係合部と容器口部の外周面に設けられた第二係合部とが互いに係合されることにより、口部と注出キャップとの緩み側への相対的な回転移動が規制されるものが考えられる。このような規制手段を備えるキャップ付容器によれば、口部に螺着された注出キャップが緩むことが防止されるので、オーバーキャップを着脱する際に、口部に螺着された注出キャップが共回りして緩むことを防止することができる。
【特許文献１】実公平３−８６０６号公報
【発明の開示】
【発明が解決しようとする課題】
【０００６】
ところで、近年の環境問題を鑑みて、例えばパウチ等の他の容器に収容された内容物を上記したキャップ付容器の容器に詰め替えて、キャップ付容器の再利用を図ることが望まれている。
しかしながら、上記した規制手段を備える従来のキャップ付容器では、口部に螺着された注出キャップを緩めて口部から取り外すことができないので、内容物を詰め替える際、注出キャップの注出口から内容物を注入する必要があり、内容物をこぼさずに詰め替える作業が煩雑であるという問題がある。
【０００７】
本発明は、上記した従来の問題が考慮されたものであり、内容物の詰め替え作業を容易に行うことができるキャップ付容器を提供することを目的としている。
【課題を解決するための手段】
【０００８】
本発明に係るキャップ付容器は、内容物を収容する容器と、該容器の口部に着脱可能に螺着され、前記内容物を注出する注出口を有する注出キャップと、該注出キャップに着脱可能に螺着され、前記注出口を覆うオーバーキャップと、を備えるキャップ付容器であって、前記口部に対するキャップ周方向への移動が規制されているとともに前記口部に対してキャップ径方向に弾性的に変位可能な弾性変位部と、前記注出キャップの周壁部に設けられた第一係合部と、前記弾性変位部に設けられた第二係合部と、を有し、前記第一係合部と前記第二係合部とが係合されることで、前記注出キャップを前記口部から緩めるキャップ周方向の緩み側への前記注出キャップと前記口部との相対的な回転移動を規制する規制手段が備えられ、該規制手段は、前記弾性変位部がキャップ径方向に変位することで、前記第一係合部と前記第二係合部との係合が解除され、前記注出キャップと前記口部との前記緩み側への相対的な回転移動を許容することを特徴としている。
【０００９】
このような特徴により、第一係合部と第二係合部とが係合されることで、キャップ周方向の緩み側への注出キャップと口部との相対的な回転移動が規制されるので、オーバーキャップを着脱する際に、口部に螺着された注出キャップが共回りして緩められることが防止される。また、弾性変位部をキャップ径方向に変位させることで、第一係合部と第二係合部との係合が解除され、緩み側への注出キャップと口部との相対的な回転移動が許容されるので、弾性変位部をキャップ径方向に変位させつつ、注出キャップと口部とを緩み側に相対的に回転移動させることで、注出キャップが口部から緩められる。
【００１０】
また、本発明に係るキャップ付容器は、前記第一係合部と前記第二係合部とが、前記口部に対して前記注出キャップが緩んだ状態において、前記注出キャップを前記口部に締め付けるキャップ周方向の締付側への前記注出キャップと前記口部との相対的な回転移動を許容することが好ましい。
【００１１】
これにより、弾性変位部をキャップ径方向に変位させることなく、注出キャップと口部とを締付側へ相対的に回転移動させることにより、注出キャップが口部に螺着されて締め付けられる。
【００１２】
また、本発明に係るキャップ付容器は、前記第一係合部及び前記第二係合部のうちの少なくとも一方が、前記第一係合部と前記第二係合部との前記緩み側への相対移動を規制するとともに前記締付側への相対移動を許容する鋸刃状の爪部により構成されていることが好ましい。
【００１３】
これにより、口部に対して注出キャップが緩んだ状態において注出キャップと口部とを締付側へ相対的に回転移動させたとき、第一係合部と第二係合部とが互いに乗り越えるようにしてキャップ周方向へ相対移動する。一方、注出キャップが口部に締め付けられた状態において注出キャップと口部とを緩み側へ相対的に回転移動させても、第一係合部と第二係合部とは互いに係合してキャップ周方向への相対移動が規制される。
【００１４】
また、本発明に係るキャップ付容器は、前記弾性変位部及び前記容器のうちの何れか一方に、前記口部に対して前記注出キャップが締め付けられた状態において前記注出キャップに係止され、前記注出キャップを前記口部に締め付けるキャップ周方向の締付側への前記注出キャップと前記口部との相対的な回転移動を規制する締付規制部が設けられていることが好ましい。
【００１５】
これにより、口部に対して注出キャップを締め付ける際、締付規制部が注出キャップに係止する位置まで注出キャップと口部とを相対的に回転移動させることで、容器に対する注出キャップのキャップ周方向の位置決めが行われる。
【発明の効果】
【００１６】
本発明に係るキャップ付容器によれば、弾性変位部をキャップ径方向に変位させることで、第一係合部と第二係合部との係合が解除され、注出キャップと口部とが締付側に相対的に回転移動させることができるので、注出キャップを口部から緩めて取り外すことができる。これにより、注出キャップを口部から取り外し、口部から内容物の詰め替え作業を行うことができるので、内容物の詰め替え作業を容易に行うことができる。
【発明を実施するための最良の形態】
【００１７】
以下、本発明に係るキャップ付容器の実施の形態について、図面に基いて説明する。
図１は本実施の形態におけるキャップ付容器１の縦断面図であり、図２は図１に示すＡ−Ａ間の横断面図であり、図３は図１に示すＢ−Ｂ間の横断面図であり、図４は後述する規制手段５を解除させた状態を表すキャップ付容器１の縦断面図であり、図５（ａ）は規制手段５を解除させた状態を表した部分横断面図であり、図５（ｂ）は後述する注出キャップ３を口部２０から緩めた状態を表した部分横断面図である。
【００１８】
なお、本実施の形態では、容器２の口部２０側（図１における上側）を上方とし、その反対側（図１における下側）を下方とする。また、上下方向に延在する図２に示す符号Ｏは、キャップ付容器１のキャップ中心軸線を示しており、以下、このキャップ中心軸線を単に「軸線Ｏ」と記す。また、軸線Ｏに沿った方向を「軸方向」とし、軸線Ｏに直交する方向を「径方向」とし、軸線Ｏ回りの方向を「周方向」とする。
【００１９】
図１に示すように、キャップ付容器１は、液体洗剤等の内容物を収容する有底筒状の容器２と、容器２の口部２０に着脱可能に螺着され、内容物を注出する注出口３０を有する注出キャップ３と、注出キャップ３に着脱可能に螺着され、注出口３０を覆うオーバーキャップ４と、注出キャップ３を口部２０から緩める周方向の緩み側への注出キャップ３と口部２０との相対的な回転移動を規制する規制手段５と、を備えている。
【００２０】
なお、上記した「緩み側」とは、注出キャップ３と口部２０との相対的な回転方向のうち、口部２０に対して注出キャップ３が緩む方向を意味しており、図３の矢印Ｘ１、Ｘ２が示す方向である。矢印Ｘ１は、口部２０から注出キャップ３を緩める際に注出キャップ３が口部２０に対して相対的に回転する方向を示しており、矢印Ｘ２は、口部２０から注出キャップ３を緩める際に口部２０が注出キャップ３に対して相対的に回転する方向を示している。
一方、下記する「締付側」とは、注出キャップ３と口部２０との相対的な回転方向のうち、口部２０に対して注出キャップ３を締め付ける方向を意味しており、図３の矢印Ｙ１、Ｙ２が示す方向である。矢印Ｙ１は、注出キャップ３を口部２０に締め付ける際に注出キャップ３が口部２０に対して相対的に回転する方向を示しており、矢印Ｙ２は、注出キャップ３を口部２０に締め付ける際に口部２０が注出キャップ３に対して相対的に回転する方向を示している。
【００２１】
容器２は、円筒形状の口部２０と、口部２０の下端部２１に連設された肩部２２と、を備えている。口部２０の上部外周面には、雄ネジ２３が形成されている。この雄ネジ２３が形成された口部２０の上部は、下端部２１よりも薄肉に形成されており、口部２０の上部の外径は下端部２１の外径よりも小径になっている。肩部２２は、下側に向かうに従い漸次拡径されたテーパー形状に形成されている。
【００２２】
注出キャップ３は、軸線Ｏを共通軸にして口部２０と同軸に配設された外筒部３１（本発明の周壁部に相当する。）と、外筒部３１及び口部２０の径方向内側に配設されているとともに軸線Ｏを共通軸にして外筒部３１及び口部２０と同軸に配設された内筒部３２と、軸線Ｏを共通軸にして口部２０上方の軸線延長線上に配設されているとともに上部外周面に雄ネジ３５が形成されたネジ筒部３３と、内筒部３２の径方向内側に配設されたノズル部３４と、を備えている。
【００２３】
外筒部３１は、ネジ筒部３３よりも大径であるとともにネジ筒部３３よりも下方に配設されており、外筒部３１の上端部は、全周に亘ってネジ筒部３３の下部の外周面に連結されている。また、外筒部３１の内径は、口部２０の上部の外径よりも大径であり、外筒部３１の内周面には、上記した口部２０の雄ネジ２３に螺合される雌ネジ３６が形成されている。
内筒部３２は、下方に向かって膨出した底板３７を有する有底筒状の筒部であり、内筒部３２の上端は、全周に亘ってネジ筒部３３の下端部の内周面に連結されている。
【００２４】
ネジ筒部３３は、口部２０の上端面の上に立設されており、ネジ筒部３３の下端面には、口部２０の上端部の内側に嵌合される嵌合筒部３８が垂下されている。
ノズル部３４は、上方に向かうに従い漸次縮径され筒部であり、内筒部３２の底板３７に形成された開口３７ａの縁部から上方に向けて立設されている。このノズル部３４の上端には、注出口３０が形成されている。また、ノズル部３４は、軸線Ｏから径方向の一方側（以下、前方側とする。）にずれた位置に配設されており、ノズル部３４の径方向の他方側（以下、後方側とする。）には、軸方向に延びるスリット３４ａが形成されている。
【００２５】
オーバーキャップ４は、有頂筒状の本体筒４０と、本体筒４０の軸方向の中間部の外周面から径方向外側に向けて突設されたフランジ部４１と、フランジ部４１の外周縁部から垂下されているとともにネジ筒部３３の径方向外側に被せられる円筒状の装着筒４２と、を備えている。
【００２６】
本体筒４０は、内筒部３２よりも小径であるとともに内筒部３２の内側からノズル部３４の上方まで延在する円筒部であり、軸線Ｏを共通軸にして口部２０及び内筒部３２と同軸上に配設されている。この本体筒４０の内側には、ノズル部３４が収容されている。また、本体筒４０の周壁部には、内容積を表す図示せぬ目盛りが付記されている。
フランジ部４１は、本体筒４０の外周面全周に亘って形成された円環状の板部であり、フランジ部４１の下面には、ネジ筒部３３の上端部の内側に嵌合する嵌合筒部４３が垂下されている。
装着筒４２は、内径がネジ筒部３３の外径よりも大径の円筒部であり、軸線Ｏを共通軸にして本体筒４０及びネジ筒部３３と同軸上に配設されている。この装着筒４２の内周面には、上記したネジ筒部３３の雄ネジ３５に螺合される雌ネジ４４が形成されている。
【００２７】
なお、上記した上記した各雄ネジ２３，３５及び各雌ネジ３６，４４の螺設方向はそれぞれ同方向となっている。
【００２８】
図１から図３に示すように、規制手段５は、口部２０に対する周方向への移動が規制されているとともに口部２０に対して径方向内側に弾性的に変位可能な弾性変位部５０と、注出キャップ３の外筒部３１に設けられた第一係合部５１と、弾性変位部５０に設けられた第二係合部５２と、を備えている。
【００２９】
弾性変位部５０は、口部２０に装着された装着部５３と一体に形成されており、装着部５３を介して容器２に固定されている。装着部５３は、平面視Ｃ字形状の管状の部材であり、装着部５３のＣ字における開いた部分の間に弾性変位部５０が介設されている。すなわち、装着部５３と弾性変位部５０とによって円環状のリング部材６０が形成されており、このリング部材６０は、軸線Ｏを共通軸にして口部２０の下端部２１と同軸上に配設されているとともに、口部２０の下端部２１の径方向外側に嵌合されている。また、装着部５３の内周面には、周方向に間隔をおいて配設された複数の凹部５４が形成されており、この凹部５４には、口部２０の下端部２１の外周面に形成された凸部２４が嵌合されている。これら凹部５４及び凸部２４によって、装着部５３（リング部材６０）の口部２０に対する周方向回転が規制され、弾性変位部５０の口部２０に対する周方向への移動が規制されている。
【００３０】
弾性変位部５０は、口部２０の後方側に配設されており、口部２０の後方側の外周面には、弾性変位部５０と径方向に対向する位置に、弾性変位部５０が径方向内側に変位したときに弾性変位部５０の前端部（径方向内側の部分）が入り込む凹部２５が形成されている。弾性変位部５０の概略構成としては、平らな上面を有する盤状の変位部５５と、変位部５５を支持するとともに変位部５５の径方向への移動を許容する弾性変形可能な弾性部５６と、変位部５５に連結された操作部５７と、を備えている。
【００３１】
変位部５５の上面は、軸線Ｏの垂直面に沿って延在されている。弾性部５６は、装着部５３と変位部５５とを弾性的に連結する部材であり、変位部５５の両側にそれぞれ配設されている。詳しく説明すると、弾性部５６は、Ｃ字状の装着部５３の両側の周方向端部と変位部５５の前部（径方向内側の部分）の両側面との間にそれぞれ介設されている。弾性部５６は、径方向に弾性変形可能な平面視円弧状の板バネ部であり、平面視Ｃ字状の装着部５３と平面視円弧状の弾性部５６とは平面視において同一円状に形成されている。操作部５７は、変位部５５の外側（径方向外側）に連設された有頂筒状の角筒部であり、この操作部５７の上部は、変位部５５の上面よりも軸方向上側に突出されている。
【００３２】
第一係合部５１は注出キャップ３の内周面側に配設されており、第二係合部５２は第一係合部５１の径方向内側に配設されている。また、第一係合部５１と第二係合部５２とは、口部２０に対して注出キャップ３が緩んだ状態（図５（ｂ）に示す状態）において締付側への注出キャップ３と口部２０との相対的な回転移動を許容する構成となっている。具体的に説明すると、第一係合部５１及び第二係合部５２は、第一係合部５１と第二係合部５２との緩み側への相対移動を規制するとともに締付側への相対移動を許容する係合部であり、それぞれ複数の鋸刃状の爪部６１，６２により構成されている。第一係合部５１の爪部６１及び第二係合部５２の爪部６２は、互いに径方向に対向配置されて噛合されているとともに、平面視において互いに逆向きの状態で配設されている。
【００３３】
詳しく説明すると、第一係合部５１の爪部６１は、軸方向に延設された平面視略直角三角形状の凸条部であり、注出キャップ３の外筒部３１に形成された突出部３９の内周面に複数突設されている。突出部３９は、外筒部３１の外周面から径方向外側に向けて突出した平面視略コ字状の壁部であり、外筒部３１の後方側部分の下端部に配設されている。この突出部３９は、上記した変位部５５の上方に配置されており、突出部３９の外周面は、操作部５７の内面（径方向内側の側面）との間に隙間をあけて形成されている。また、突出部３９の内周面には、複数の爪部６１が周方向に連続的に並設されている。また、第一係合部５１の爪部６１は、その先端（径方向内側の尖先）から基端側（径方向外側）に向かって周方向の一方側（Ｙ１側、Ｘ２側）に傾斜した形状を成している。つまり、爪部６１の周方向の一方側に、突出部３９の内周面に対して傾斜した傾斜面６１ａが形成されており、爪部６１の周方向の他方側（Ｘ１側、Ｙ２側）に、突出部３９の内周面に対して垂直に延びた垂直面６１ｂが形成されている。
【００３４】
第二係合部５２の爪部６２は、軸方向に延設された平面視略直角三角形状の凸条部であり、変位部５５の上面に立設された壁部５８の外面（径方向外側の面）に複数突設されている。壁部５８は、変位部５５の内縁（径方向内側の縁部）に沿って周方向に延設された壁部であり、注出キャップ３の外筒部３１の内側に配設されている。この壁部５８の外面には、複数の爪部６２が壁部５８の長さ方向（周方向）に連続的に並設されている。また、第二係合部５２の爪部６２は、その先端（径方向外側の尖先）から基端側（径方向内側）に向かって周方向の他方側（Ｙ２側、Ｘ１側）に傾斜した形状を成している。つまり、爪部６２の周方向の他方側に、口部２０の外周面に対して傾斜した傾斜面６２ａが形成されており、爪部６２の周方向の一方側（Ｘ２側、Ｙ１側）に、口部２０の外周面に対して垂直に延びた垂直面６２ｂが形成されている。また、第二係合部５２の爪部６２の上端面６２ｃは、爪部６２先端側（径方向外側）に向かって下向きに傾斜されている。
【００３５】
そして、上記した第一係合部５１の爪部６１と第二係合部５２の爪部６２とは、双方の垂直面６１ｂ，６２ｂが当接することにより係合されており、これにより、第一係合部５１と第二係合部５２との緩み側への相対移動が規制され、注出キャップ３と口部２０との緩み側への相対的な回転移動が規制されている。
【００３６】
一方、上記した弾性変位部５０には、口部２０に対して注出キャップ３が締め付けられた状態（図３に示す状態）において注出キャップ３の突出部３９に係止され、締付側への注出キャップ３と口部２０との相対的な回転移動を規制する締付規制部６３が設けられている。この締付規制部６３は、突出部３９の周方向一方側（Ｙ１側、Ｘ２側）の側面に当接する壁部であり、変位部５５の上面に立設されているとともに変位部５５の周方向一方側の縁部に沿って延設されている。この締付規制部６３の一端（径方向外側の端部）は操作部５７に連結されており、締付規制部６３の他端面（径方向内側の端面）は、注出キャップ３の外筒部３１の外周面との間に隙間をあけて形成されている。
【００３７】
次に、上記した構成からなるキャップ付容器１の作用について説明する。
【００３８】
まず、容器２に収容された内容物を注出する方法について説明する。
はじめに、オーバーキャップ４を注出キャップ３から取り外す。詳しく説明すると、オーバーキャップ４と注出キャップ３とを周方向の緩み側に相対的に回転移動させ、ネジ筒部３３に螺着されたオーバーキャップ４を緩めて取り外す。このとき、第一係合部５１と第二係合部５２とが係合され、第一係合部５１と第二係合部５２との緩み側への相対移動が規制されているので、注出キャップ３と口部２０との緩み側への相対的な回転移動が規制される。これにより、口部２０に螺着された注出キャップ３が共回りして緩められることが防止される。
【００３９】
続いて、容器２を前方側に傾けて、注出キャップ３の注出口３０から容器２内の内容物をオーバーキャップ４の中に注出する。詳しく説明すると、まず、取り外したオーバーキャップ４を上下反転させ、オーバーキャップ４を上方に向けて開放された姿勢にする。そして、容器２を前方側に傾けるとともに、注出口３０の下方にオーバーキャップ４を配置する。容器２が前方側に傾けられると、容器２内の内容物は、内筒部３２の底板３７の開口３７ａからノズル部３４内に流入し、ノズル部３４の内周面に沿ってノズル部３４の先端側に流通し、ノズル部３４の先端に設けられた注出口３０から注出される。注出口３０から注出された内容物は、オーバーキャップ４の本体筒４０の中に流入させる。このとき、本体筒４０に付記された図示せぬ目盛りによって内容物の注出量を計量する。これにより、所定量の内容物を注出させることが可能である。
【００４０】
次に、容器２内の内容物を詰め替える方法について説明する。
はじめに、図４及び図５（ａ）に示すように、弾性変位部５０を径方向内側に変位させて第一係合部５１と第二係合部５２の係合を解除する。詳しく説明すると、弾性変位部５０の操作部５７の外面（径方向外側の側面）を指等で押圧する。これにより、両側の弾性部５６が径方向内側にそれぞれ弾性的に撓み変形し、変位部５５が径方向内側に変位し、変位部５５の前方部分（径方向内側の端部）が口部２０の凹部２５内に入り込む。このとき、第二係合部５２が変位部５５と共に径方向内側に変位して第一係合部５１から離間し、第一係合部５１と第二係合部５２との係合が解除される。
【００４１】
続いて、弾性変位部５０を径方向内側に変位させたまま、注出キャップ３と口部２０とを周方向の緩み側に相対的に回転移動させ、口部２０に螺着された注出キャップ３を緩める。このとき、第一係合部５１と第二係合部５２との係合が解除されているので、注出キャップ３と口部２０との緩み側への相対的な回転移動が許容されている。そして、図５（ｂ）に示すように、第一係合部５１と第二係合部５２との周方向位置がずれて第一係合部５１と第二係合部５２とが径方向に対向しなくなるところまで注出キャップ３と口部２０とを緩み側へ相対的に回転移動させた後、操作部５７の押圧を解除する。これにより、弾性部５６の弾性力によって弾性変位部５０は径方向外側に変位して元の位置に戻る。その後、注出キャップ３と口部２０とを緩み側に更に相対的に回転移動させ、口部２０から注出キャップ３を取り外し、口部２０を開放させる。なお、口部２０から注出キャップ３を取り外す際、注出キャップ３にオーバーキャップ４を螺着させたままであってもよく、或いは、注出キャップ３からオーバーキャップ４を取り外した状態であってもよい。
【００４２】
続いて、図示せぬパウチ等に収容された内容物を口部２０から容器２内に注入する。このとき、口部２０の内径は、注出口３０等の内径に比べて大きいので、容器２内に内容物を注入させ易い。
【００４３】
そして、容器２内への内容物の注入が完了した後、取り外された注出キャップ３を口部２０に再び螺着させて取り付ける。詳しく説明すると、注出キャップ３と口部２０とを周方向の締付側に相対的に回転移動させ、注出キャップ３の雌ネジ３６を口部２０の雄ネジ２３に螺合させて締め付ける。注出キャップ３を口部２０に絞め込んでいくと、注出キャップ３の外筒部３１の下端が第二係合部５２の爪部６２の上端面６２ｃに当接し、外筒部３１の下端が爪部６２の上端面６２ｃ上を摺動しながら注出キャップ３が周方向の締付側に回転し、外筒部３１の下端によって上記した爪部６２の上端面６２ｃが下向きに押圧される。このとき、上記した爪部６２の上端面６２ｃが径方向外側に向かって下向きに傾斜されているので、注出キャップ３の締付側への回転に伴い、上記した爪部６２が設けられた弾性変位部５０が径方向内側に移動する。これにより、注出キャップ３の外筒部３１が第二係合部５２の爪部６２に係止されることがなく、注出キャップ３を締め込んでいくことができる。そして、上記した注出キャップ３の突出部３９を変位部５５の上方（操作部５７の径方向内側に配置させる。このとき、第一係合部５１と第二係合部５２とが、互いに逆向きの鋸刃状の爪部６１，６２からなり、第一係合部５１と第二係合部５２との締付側への相対移動が許容されているため、指等で操作部５７の外面を押圧することなく、注出キャップ３と口部２０とを締付側へ相対的に回転移動させることが可能である。すなわち、口部２０に対して注出キャップ３を締付側へ回転移動させると、第一係合部５１の爪部６１の傾斜面６１ａが第二係合部５２の爪部６２の傾斜面６２ａ上を摺動しつつ第一係合部５１の爪部６１が締付側（Ｙ１側）に向かって移動し、第一係合部５１の爪部６１が第二係合部５２の爪部６２を乗り越える。これにより、第一係合部５１と第二係合部５２との締付側への相対移動が許容され、第一係合部５１と第二係合部５２とが互いに係合される。なお、第一係合部５１の爪部６１の傾斜面６１ａが第二係合部５２の爪部６２の傾斜面６２ａ上を摺動することに伴い、弾性変位部５０が径方向内側に移動し、第一係合部５１の爪部６１が第二係合部５２の爪部６２を乗り越えた時点で、弾性部５６の弾性力によって弾性変位部５０が径方向外側に移動する。そして、注出キャップ３の突出部３９が締付規制部６３に当接して係止された時点で、注出キャップ３と口部２０との締付側へ相対的な回転移動が規制され、容器２に対する注出キャップ３の周方向の位置決めが行われる。その結果、注出キャップ３は所定の周方向の向きに配置され、ノズル部３４（注出口３０）は所定位置に確実に配置される。
以上により、容器２内の内容物の詰め替え作業が完了する。
【００４４】
上記した構成からなるキャップ付容器１によれば、弾性変位部５０を径方向内側に変位させることで、第一係合部５１と第二係合部５２との係合が解除され、注出キャップ３と口部２０とが締付側に相対的に回転移動させることができるので、注出キャップ３を口部２０から緩めて取り外すことができる。これにより、注出キャップ３を口部２０から取り外し、口部２０から内容物の詰め替え作業を行うことができるので、容器２内に内容物を注入する際に内容物がこぼれにくく、内容物の詰め替え作業を容易に行うことができる。
【００４５】
また、上記した第一係合部５１及び第二係合部５２によれば、口部２０に対して注出キャップ３が緩んだ状態において、弾性変位部５０を径方向内側に変位させることなく、注出キャップ３と口部２０とを締付側へ相対的に回転移動させることができるので、注出キャップ３を口部２０に容易に締め付けることができる。
【００４６】
また、口部２０に対して注出キャップ３を締め付ける際、締付規制部６３が注出キャップ３の突出部３９に係止することで、容器２に対する注出キャップ３の周方向の位置決めが行われ、注出口３０が所定位置に確実に配置されるので、注出キャップ３を口部２０に正確に取り付けることができる。
【００４７】
以上、本発明に係るキャップ付容器の実施の形態について説明したが、本発明は上記した実施の形態に限定されるものではなく、その趣旨を逸脱しない範囲で適宜変更可能である。
例えば、上記した実施の形態では、オーバーキャップ４と注出キャップ３との螺着部分及び注出キャップ３と口部２０との螺着部分における各雄ネジ２３，３５及び各雌ネジ３６，４４の螺設方向がそれぞれ同方向となっているが、本発明は、オーバーキャップ４と注出キャップ３との螺着部分における雄ネジ３５及び雌ネジ４４の螺設方向が、注出キャップ３と口部２０との螺着部分における雄ネジ２３及び雌ネジ３６の螺設方向と逆向きになっていてもよい。その場合、オーバーキャップ４を注出キャップ３に締め付ける際の注出キャップ３の共周りが規制手段５によって防止される。
【００４８】
また、上記した実施の形態では、弾性変位部５０を径方向内側に変位させることで、第一係合部５１と第二係合部５２との係合が解除される構成となっているが、本発明は、弾性変位部を径方向外側に変位させることで、第一係合部と第二係合部との係合が解除される構成にすることも可能である。例えば、注出キャップ３の外周面に第一係合部が設けられ、この第一係合部の径方向外側に第二係合部が配設された構成の場合、弾性変位部を径方向外側に引っ張ることで、前記した第一係合部と第二係合部との係合が解除される。
【００４９】
また、上記した実施の形態では、口部２０に装着されたリング部材６０に弾性変位部５０が一体に形成されており、弾性変位部５０と容器２とが別体の部品で構成されているが、本発明は、弾性変位部と容器とが一体に形成されていてもよい。例えば、口部２０の下端部２１に弾性変位部５０の弾性部５６が一体に連結された構成にすることも可能である。これにより、リング部材６０を省略することができ、部品数を低減させることができる。
【００５０】
また、上記した実施の形態では、弾性変位部５０に締付規制部６３が設けられているが、本発明は、容器２に締付規制部６３を設けることも可能であり、さらに、締付規制部６３を省略することも可能である。
【００５１】
また、上記した実施の形態では、第一係合部５１及び第二係合部５２が、それぞれ鋸刃状の爪部６１，６２から構成され、締付側への注出キャップ３と口部２０との相対的な回転移動を許容する構成となっているが、本発明は、第一係合部５１だけが鋸刃状の爪部６１から構成され、第二係合部５２が前記爪部６１に係合される凹部又は凸部で構成されていてもよく、反対に、第二係合部５２だけが鋸刃状の爪部６２から構成され、第一係合部５１が前記爪部６２に係合される凹部又は凸部で構成されていてもよい。
また、本発明は、第一係合部５１及び第二係合部５２が鋸刃状の爪部６１，６２以外の構成になっていてもよく、例えば、第一係合部や第二係合部が、周方向の一方側（締付側）に弾性変形可能であって周方向の他方側（緩み側）への弾性変形が規制された構成の凸部であってもよい。
さらに、本発明は、第一係合部及び第二係合部が、締付側への注出キャップ３と口部２０との相対的な回転移動を規制する構成であってもよい。この場合、注出キャップ３を口部２０に締め付ける際、弾性変位部５０を径方向に変位させた状態で、注出キャップ３と口部２０とを締付側へ相対的に回転移動させる。
【００５２】
その他、本発明の主旨を逸脱しない範囲で、上記した実施の形態における構成要素を周知の構成要素に置き換えることは適宜可能であり、また、上記した変形例を適宜組み合わせてもよい。
【図面の簡単な説明】
【００５３】
【図１】本発明の実施の形態を説明するためのキャップ付容器の縦断面図である。
【図２】図１に示すＡ−Ａ間の横断面図である。
【図３】図１に示すＢ−Ｂ間の横断面図である。
【図４】本発明の実施の形態を説明するためのキャップ付容器の縦断面図であって、規制手段を解除した状態を表す図である。
【図５】（ａ）は規制手段を解除した状態を表すキャップ付容器の部分横断面図であり、（ｂ）は口部に対して注出キャップを緩めた状態を表すキャップ付容器の部分横断面図である。
【符号の説明】
【００５４】
１  キャップ付容器
２  容器
３  注出キャップ
４  オーバーキャップ
５  規制手段
２０  口部
３０  注出口
３１  外筒部（周壁部）
５０  弾性変位部
５１  第一係合部
５２  第二係合部
６１  爪部
６２  爪部
６３  締付規制部
【図１】
2010036920.tif 000003
【図２】
2010036920.tif 000004
【図３】
2010036920.tif 000005
【図４】
2010036920.tif 000006
【図５】
2010036920.tif 000007